(57)【要約】【課題】乗りかごの床から下方に向って手を伸ばすことなく、収納部に対する収納物の収納、及び収納物の取り出しを行うことができるようにする。【解決手段】本発明は、床１ａの下部に、収納物が収納される収納部２を有する乗りかご１を備えたエレベーターであって、床１ａに形成した開口部３と、収納部２を開口部３から引き上げ可能にするガイド部と、引き上げられた収納部２を床１ａに係止させる係止部とを備えている。ガイド部は、床１ａを補強する第１補強部材４及び第２補強部材５に固定されて上下方向に延設した第１ガイド溝８、図示しない第２ガイド溝をそれぞれ有する第１ブラケット９、第２ブラケット１０と、収納部２に固定した第１側板１１、第２側板１２に取り付けられて第１ガイド溝８、図示しない第２ガイド溝にそれぞれ案内される第１突起部１３、第２突起部１４とを含んでいる。【選択図】図４
2018002421.tif 000002
【特許請求の範囲】
【請求項１】
床の下部に、収納物が収納される収納部を有する乗りかごを備えたエレベーターであって、
前記床に形成した開口部と、
前記収納部を前記開口部から引き上げ可能にするガイド部と、
引き上げられた前記収納部を前記床に係止させる係止部とを備えることを特徴とするエレベーター。
【請求項２】
請求項１に記載のエレベーターであって、
前記ガイド部は、
前記床を補強する補強部材、及び前記収納部のいずれか一方に固定されて上下方向に延設したガイド溝を有するブラケットと、
前記補強部材、及び前記収納部の他方に固定されて前記ブラケットの前記ガイド溝に案内される突起部とを含むことを特徴とするエレベーター。
【請求項３】
請求項２に記載のエレベーターであって、
前記補強部材は、対向して配置された第１補強部材と第２補強部材とから成り、
前記第１補強部材に固定された第１支持部材、及び前記第２補強部材に固定された第２支持部材を備えており、
前記ブラケットは、前記第１支持部材に支持されて前記ガイド溝を構成する第１ガイド溝を有する第１ブラケットと、前記第２支持部材に支持されて前記ガイド溝を構成する第２ガイド溝を有する第２ブラケットとから成り、
前記第１ブラケットに対向して前記収納部の一方の側部に固定された第１側板、及び前記第２ブラケットに対向して前記収納部の他方の側部に固定された第２側板を備えており、
前記突起部は、前記第１側板に固定されて前記第１ブラケットの前記第１ガイド溝に案内される第１突起部と、前記第２側板に固定されて前記第２ブラケットの前記第２ガイド溝に案内される第２突起部とから成ることを特徴とするエレベーター。
【請求項４】
請求項３に記載のエレベーターであって、
前記第１ガイド溝及び前記第２ガイド溝は、上下方向に延設した直線部と、この直線部の上端に形成されて頂部よりも低い位置となる端部を有する上に凸となる弧状部とを有する形状に形成されており、
前記係止部は、前記第１ガイド溝及び前記第２ガイド溝の前記弧状部の前記端部のそれぞれと、前記収納部の一部が載置された前記床の部分とから成ることを特徴とするエレベーター。
【請求項５】
請求項４に記載のエレベーターであって、
前記収納部は便器を含み、
前記便器は、便座と、前記便座の一端側に上下方向の回動可能に連結されており、当該収納部が前記乗りかごの下方に配置された当該便器の不使用時にあって、前記床の一部を形成する便座カバーと、前記便座の下方に連設された排泄物収納ボックスとを備えることを特徴とするエレベーター。
【請求項６】
請求項５に記載のエレベーターであって、
前記便座カバーは、当該便座カバーに形成された凹部に引き出し可能に収容された一対の把手を備えることを特徴とするエレベーター。
【請求項７】
請求項５に記載のエレベーターであって、
前記収納部を前記床に係止させた際に前記収納部と前記床との間に形成される前記開口部の一部である隙間を塞ぐ閉塞部材を備えることを特徴とするエレベーター。
【請求項８】
請求項７に記載のエレベーターであって、
前記閉塞部材は、前記収納部に上下方向の回動可能に保持された板部材から成ることを特徴とするエレベーター。
【請求項９】
請求項５に記載のエレベーターであって、
前記収納部は、前記排泄物収納ボックスの下側に用具の収納が可能な用具ボックスを有することを特徴とするエレベーター。
【発明の詳細な説明】
【技術分野】
【０００１】
本発明は、乗りかごの床の下部に収納部を有するエレベーターに関する。
【背景技術】
【０００２】
この種の従来技術が特許文献１に開示されている。この従来技術は、乗りかごの床の下部に、災害発生時に必要な物資を収納するトランク部、すなわち収納部を備えた構成となっている。
【先行技術文献】
【特許文献】
【０００３】
【特許文献１】特開２０１１−９８７８８号公報
【発明の概要】
【発明が解決しようとする課題】
【０００４】
前述した従来技術にあっては、トランク部内の物資を取り出すためには、乗りかごの床からトランク部に向って下方に手を伸ばし、物資を掴んで床上まで引き上げることが必要になる。トランク部内に物資を収納する際も同様に、トランク部に向って下方に手を伸ばして作業を行うことが必要になる。すなわち従来技術では、トランク部に対する物資の収納、取り出し作業が煩雑であった。
【０００５】
上記課題を解決するために、本発明の目的は、乗りかごの床から下方に向って手を伸ばすことなく、収納部に対する収納物の収納、及び収納物の取り出しを行うことができるエレベーターを提供することにある。
【課題を解決するための手段】
【０００６】
上記課題を解決するために、本発明に係るエレベーターは、床の下部に、収納物が収納される収納部を有する乗りかごを備えたエレベーターであって、前記床に形成した開口部と、前記収納部を前記開口部から引き上げ可能にするガイド部と、引き上げられた前記収納部を前記床に係止させる係止部とを備えることを特徴としている。
【発明の効果】
【０００７】
本発明に係るエレベーターによれば、収納部への収納物の収納作業、及び収納部からの収納物の取り出し作業の作業性を従来よりも向上させることができる。前述した以外の課題、構成及び効果は、以下の実施形態の説明により明らかにされる。
【図面の簡単な説明】
【０００８】
【図１】本発明の一実施形態に係るエレベーターに備えられた乗りかごの側面図である。
【図２】図１に示した乗りかごのＡ−Ａ断面図である。
【図３】本実施形態に備えられた収納部を乗りかごの床上に引き上げた状態を示す図で、（ａ）は平面図、（ｂ）は正面図である。
【図４】本実施形態の要部構成を示す側面図である。
【発明を実施するための形態】
【０００９】
以下、本発明に係るエレベーターの実施の形態を図面に基づいて説明する。
【００１０】
図１および図２に示すように、本実施形態に係るエレベーターに備えられた乗りかご１は、床１ａの下部に、収納物が収納される収納部２を有している。図２に示すように、乗りかご１の正面側には、ドア１ｂが配置されている。本実施形態は、既設のエレベーターに収納部２を追加して設けた例である。
【００１１】
本実施形態は、床１ａに形成した開口部３と、収納部２を開口部３から引き上げ可能にするガイド部と、引き上げられた収納部２を床１ａに係止させる係止部とを備えている。
【００１２】
前述したガイド部は、床１ａを補強する既設の補強部材に固定されて上下方向に延設したガイド溝を有するブラケットと、収納部２に固定されてブラケットのガイド溝に案内される突起部とを含んでいる。
【００１３】
図３及び図４に示すように、前述した補強部材は、床１ａの下部に対向して配置された第１補強部材４と第２補強部材５とから成っている。
【００１４】
本実施形態は、第１補強部材４に固定された第１支持部材６と、第２補強部材５に固定された第２支持部材７とを備えている。第１支持部材６はボルト３０によって第１補強部材４に締結されており、第２支持部材７はボルト３１によって第２補強部材５に締結されている。
【００１５】
前述したブラケットは、第１支持部材６に支持されて前述のガイド溝を構成する第１ガイド溝８を有する第１ブラケット９と、第２支持部材７に支持されて前述のガイド溝を構成する第２ガイド溝を有する第２ブラケット１０とから成っている。第２ブラケット１０の第２ガイド溝については図示を省略してあるが、第１ガイド溝８と同等の形状寸法に設定されている。第１ブラケット９は、第１支持部材６にボルト３２によって締結されており、第２ブラケット１０は、第２支持部材７にボルト３３によって締結されている。
【００１６】
本実施形態は、第１ブラケット９に対向して収納部２の一方の側部に溶接部を介して固定された第１側板１１と、第２ブラケット１０に対向して収納部２の他方の側部に溶接部を介して固定された第２側板１２とを備えている。
【００１７】
前述したガイド溝に案内される突起部は、第１側板１１に固定されて第１ブラケット９の第１ガイド溝８に案内される第１突起部１３と、第２側板１２に固定されて第２ブラケット１０の図示しない第２ガイド溝に案内される第２突起部１４とから成っている。
【００１８】
図４に示すように、第１ガイド溝８は、上下方向に延設した直線部８ａと、この直線部８ａの上端に形成されて頂部８ｂ１よりも低い位置となる端部８ｂ２を有する上に凸となる弧状部８ｂとを有する形状に形成されている。第２ブラケット１０の図示しない第２ガイド溝も、第１ガイド溝８と同等の直線部、及び弧状部を有している。
【００１９】
同図４に示すように、収納部２を床１ａに係止させる前述した係止部は、第１ガイド溝８及び第２ガイド溝の弧状部８ｂ等の端部８ｂ２等のそれぞれと、収納部２の一部が載置された床１ａの部分１ａ１とから成っている。
【００２０】
収納部２は便器２０を含んでいる。この便器２０は、便座２０ａと、この便座２０ａの一端側にヒンジ部２５によって上下方向の回動可能に連結されており、図１に示すように収納部２が乗りかご１の下方に配置された当該便器２０の不使用時にあって、図２に示すように床１ａの一部を形成する便座カバー２０ｂとを備えている。また、便器２０は、図３の（ａ）及び図４に示すように、便座２０ａの下方に連設された排泄物収納ボックス２０ｃを備えている。この排泄物収納ボックス２０ｃは、図４の左側である収納部２の正面側から出し入れ可能となっている。
【００２１】
図２に示すように、便座カバー２０ｂは、当該便座カバー２０ｂに形成された凹部に引き出し可能に収納された一対の把手２０ｄを備えている。
【００２２】
便座カバー２０ｂは、鉄材によって平板状に製作されている。また、本実施形態は、便座カバー２０ｂを図４の破線で示すように開いた際に、便座カバー２０ｂを後ろに倒れるように傾斜した状態で保持する図示しない便座カバー保持部を備えている。便座カバー２０ｂを除く収納部２の他の部分はプラスチックによって製作されている。
【００２３】
また、本実施形態は、収納部２を床１ａに係止させた際に、収納部２と床１ａとの間に形成される開口部３の一部である隙間を塞ぐ閉塞部材を備えている。この閉塞部材は、収納部２にヒンジ部２３を介して上下方向の回動可能に保持される鉄製の板部材２１から成っている。
【００２４】
板部材２１は、収納部２に固定した磁石２４に接着されることにより、収納部２に保持される。板部材２１を床１ａに載置するように回動させた際には、板部材２１の下部に設けた係合部２１ａが開口部３の縁部３ａと係合可能な状態となる。
【００２５】
図３の（ｂ）及び図４に示すように、収納部２は、便器２０の排泄物収納ボックス２０ｃの下側に、便器２０の清掃具、洗剤等の用具の収納が可能な用具ボックス２２を有している。この用具ボックス２２も前述した排泄物収納ボックス２０ｃと同様に、収納部２の正面側から出し入れ可能となっている。
【００２６】
このように構成した本実施形態は、収納部２を引き上げる必要のないときには、図３及び図４に示す第１突起部１３が第１ガイド溝８の直線部８ａの下端に、第２突起部１４が図示しない第２ガイド溝の直線部の下端にそれぞれ係止されて、収納部２は図１に示すように乗りかご１の下方に保持される。
【００２７】
乗りかご１が階床間で長時間停止する異常事態等が起こって収納部２に含まれる便器２０を使用することが必要になったときには、図３に示す一対の把手２０ｄを引き出し、この把手２０ｄを把持して上方に収納部２を引き上げ、引き上げた収納部２をわずかに後方に（図４の右方向に）動かして収納部２を床１ａ上の部分１ａ１に係止させる。
【００２８】
この間、収納部２に溶接した第１側板１１に固定した第１突起部１３は図４に示す第１ガイド溝８の直線部８ａ内を上昇し、弧状部８ｂの頂部８ｂ１から端部８ｂ２まで移動し、端部８ｂ２で係止される。収納部２に溶接した第２側板１２に固定した第２突起部１４も、図示しない第２ガイド溝内を同様にして移動する。
【００２９】
このとき、床１ａと収納部２との間に、開口部３の一部を形成する隙間が生じるので、収納部２に磁石２４によって保持されていた板部材２１をヒンジ部２３を中心に前に倒すように回動させ、前述の隙間を防ぐ。
【００３０】
そして、便器２０の便座２０ａを破線で示すように開き、図示しない便座カバー保持部によって傾斜状に保持させる。このような状態において便器２０が使用される。便器２０の使用によって生じた排泄物は排泄物収納ボックス２０ｃに収納される。
【００３１】
その後、乗りかご１の運行が正常状態に復旧した際などに、収納部２から排泄物収納ボックス２０ｃが引き出され、排泄物が所定場所に捨てられる。排泄物が除去され、清浄化された排泄物収納ボックス２０ｃは再び収納部２に収納される。
【００３２】
便器２０の使用終了等により収納部２を再び乗りかご１の下方に保持させるに際しては、便座カバー２０ｂを図４の実線で示すように前に回動させて倒した状態とする。また、板部材２１を上方に回動させて磁石２４に接着させる。この状態で便座カバー２０ｂの一対の把手２０ｄを引き出し、この把手２０ｄを把持して収納部２をわずかに引き上げながら正面側に（図４の左方向に）移動させる。これにより収納部２の自重を利用した下降が可能となる。したがって、そのまま収納部２を保持しながら降ろすことにより、便座カバー２０ｂは床１ａの一部を形成する状態となる。
【００３３】
なおこの間、収納部２に溶接した第１側板１１に固定した第１突起部１３は、第１ガイド溝８の弧状部８ｂの端部８ｂ２から頂部８ｂ１を経て直線部８ａに移動し、直線部８ａに案内されて直線部８ａの下端で係止される。収納部２に溶接した第２側板１２に固定した第２突起部１４も、図示しない第２ガイド溝内を同様にして移動し直線部の下端で係止される。
【００３４】
このように第１突起部１３が第１ガイド溝８の直線部８ａの下端に係止され、第２突起部１４が図示しない第２ガイド溝の直線部の下端に係止されることにより、収納部２は乗りかご１の下方に保持される。また、収納部２の便座カバー２０ｂの全周は、床１ａに形成された開口部３の周縁に係合した状態に保持される。
【００３５】
以上のように構成した本実施形態によれば、乗りかご１の床１ａから下方に向って手を伸ばすことなく、排泄物収納ボックス２０ｃの出し入れ、あるいは用具ボックス２２の出し入れによる収納部２に対する収納物の収納、及び取り出しを行うことができる。すなわち本実施形態は、収納部２への収納物の収納作業、及び収納部２からの収納物の取り出し作業が容易になり、作業性を向上させることができる。
【００３６】
また、本実施形態は、床１ａを補強する強固な第１補強部材４及び第２補強部材５にそれぞれ固定した第１支持部材６及び第２支持部材７、これらの第１支持部材６及び第２支持部材７にそれぞれ固定した第１ブラケット９及び第２ブラケット１０を介して収納部２を保持させるようにしてあることから、収納部２を安定して保持することができる。
【００３７】
また、本実施形態は、収納部２が便器２０を含むことから、乗りかご１が階床間に長時間停止した際などにおける乗客の利便性を向上させることができる。
【００３８】
また、本実施形態は、一対の把手２０ｄを把持して、一対の突起部である第１突起部１３及び第２突起部１４を、一対のブラケットである第１ブラケット９及び第２ブラケット１０の第１ガイド溝８及び図示しない第２ガイド溝内を移動させることにより、収納部２を円滑に引き上げ、また引き下ろすことができる。
【００３９】
また、本実施形態は、第１突起部１３の第１ガイド溝８の弧状部８ｂの端部８ｂ２への係止、及び第２突起部１４の図示しない第２ガイド溝の弧状部の端部への係止と、床１ａの部分１ａ１とから成る簡単な構造で、収納部２を床１ａ上に安定して保持させることができる。
【００４０】
また、本実施形態は、収納部２を床１ａ上に引き上げた際に形成される開口部３の一部を形成する隙間を板部材２１によって塞ぐようにしてあることから、収納部２を床１ａに引き上げた際の乗りかご１の乗客、及び便器２０の使用者の昇降路が見えることによる不安感を除くことができる。
【００４１】
なお、前述した実施形態にあっては、床１ａを補強する第１補強部材４、第２補強部材５に、第１支持部材６、第２支持部材７を介して固定される第１ブラケット９、第２ブラケット１０に、第１ガイド溝８、図示しない第２ガイド溝を設け、収納部２に第１側板１１、第２側板１２を介して固定され、第１ガイド溝８、図示しない第２ガイド溝に案内される第１突起部１３、第２突起部１４を設けた構成にしてあるが、本発明は、このように構成することには限られない。前述とは逆に、第１ブラケット９、第２ブラケット１０に、第１突起部１３、第２突起部１４を設け、収納部２側に第１突起部１３が案内される第１ガイド溝８、第２突起部１４が案内する第２ガイド溝を設けた構成にしてもよい。
【００４２】
また、前述した実施形態では、収納部２が便器２０を含む構成にしてあるが、本発明は、収納部２が便器２０を含まない構成としてもよい。
【００４３】
また、前述した実施形態では、閉塞部材を構成する板部材２１を、ヒンジ部２３を介して回動可能に、また収納部２に固定した磁石２４に接着可能に設けたが、ヒンジ部２３及び磁石２４を設けずに、板部材２１を収納部２から分離可能な部材とし、分離された板部材２１を用具ボックス２２等に収納し、必要時に取り出して、開口部３の一部を形成する隙間を覆うように配置してもよい。
【００４４】
本発明は前述した実施形態に限定されず、本発明の要旨を逸脱しない範囲で種々の変形が可能であり、特許請求の範囲に記載された技術思想に含まれる技術的事項の全てが本発明の対象となる。
【符号の説明】
【００４５】
１・・乗りかご、１ａ・・床、１ａ１・・部分（係止部）、２・・収納部、３・・開口部、３ａ・・縁部、４・・第１補強部材（補強部材）、５・・第２補強部材（補強部材）、６・・第１支持部材、７・・第２支持部材、８・・第１ガイド溝（ガイド溝）〔ガイド部〕、８ａ・・直線部、８ｂ・・弧状部、８ｂ１・・頂部、８ｂ２・・端部（係止部）、９・・第１ブラケット（ブラケット）〔ガイド部〕、１０・・第２ブラケット（ブラケット）〔ガイド部〕、１１・・第１側板、１２・・第２側板、１３・・第１突起部（突起部）〔ガイド部〕、１４・・第２突起部（突起部）〔ガイド部〕、２０・・便器、２０ａ・・便座、２０ｂ・・便座カバー、２０ｃ・・排泄物収納ボックス、２０ｄ・・把手、２１・・板部材（閉塞部材）、２２・・用具ボックス
【図１】
2018002421.tif 000003
【図２】
2018002421.tif 000004
【図３】
2018002421.tif 000005
【図４】
2018002421.tif 000006